(57)【要約】【課題】犯人等の移動に応じて情報提供を呼びかける範囲を動的に変更するとともに、犯人や犯行車両の移動状況も配信できるようにした情報収集システムを提供する。【解決手段】手配情報送信センタ１０は、事件に関する情報の提供があった最近の位置を基準として、前記手配情報の送信エリア３１を決定する送信エリア決定手段１１と、前記事件に関する情報の提供があった最近の位置を中心とし、かつ、少なくとも過去数回分の前記事件に関する情報の提供があった位置を追記した地図画像を生成する地図画像生成手段１２と、前記送信エリアに所在する携帯端末に対して、前記地図画像を添付した手配情報を送信する手配情報送信手段１３と、を備える。以上により、事件に関する情報の提供があった位置が遷移（Ｘ１→Ｘ２→Ｘ３→Ｘｎ）すると、手配情報の送信エリア（３１→３２→３３→３ｎ）と、当該手配情報に添付する地図が更新・変更される。【選択図】図１
2008099120.tif 000002
【特許請求の範囲】
【請求項１】
所定の携帯端末に対して、事件に関する情報の提供を呼びかける手配情報を送信する手配情報送信センタであって、
前記事件に関する情報の提供があった位置の遷移に従って、前記手配情報に添付する地図を更新するとともに、前記手配情報の送信エリアを変更すること、
を特徴とする手配情報送信センタ。
【請求項２】
所定の携帯端末に対して、事件に関する情報の提供を呼びかける手配情報を送信する手配情報送信センタであって、
事件に関する情報の提供があった最近の位置を基準として、前記手配情報の送信エリアを決定する送信エリア決定手段と、
前記事件に関する情報の提供があった最近の位置を中心とし、かつ、少なくとも過去数回分の前記事件に関する情報の提供があった位置を追記した地図画像を生成する地図画像生成手段と、
前記決定した手配情報の送信エリアに所在する携帯端末に対して、前記地図画像を添付した手配情報を送信する手配情報送信手段と、を備えたこと、
を特徴とする手配情報送信センタ。
【請求項３】
前記携帯端末に送信する地図画像に、次の情報提供の際の位置を特定するための情報が含まれていること、
を特徴とする請求項１又は２に記載の手配情報送信センタ。
【請求項４】
前記手配情報を送信してから所定の時間内に情報の提供がない場合、
前記送信エリア決定手段は、前回の手配情報の送信エリアを拡大し、
前記地図画像生成手段は、生成する地図のカバーエリアを大きくし、
前記手配情報送信手段は、前記拡大された送信エリアに前記地図画像を添付した手配情報を送信すること、
を特徴とする請求項１乃至３いずれか一に記載の手配情報送信センタ。
【請求項５】
前記手配情報は、電子メールで送信され、前記事件に関する情報の提供は、該電子メールに返信することにより行われること、
を特徴とする請求項１乃至４いずれか一に記載の手配情報送信センタ。
【請求項６】
請求項１乃至５いずれか一に記載の手配情報送信センタから送信される手配情報を受信する機能を備えた携帯端末であって、
地図を表示したタッチパネル画面を介して、前記手配情報送信センタに送信する位置を入力するタッチパネル入力手段と、
前記タッチパネル画面により位置の入力が行われたことを契機として、前記手配情報送信センタに対して、事件に関する情報の提供を自動実行する自動通報手段を備えたこと、
を特徴とする携帯端末。
【請求項７】
請求項１乃至５いずれか一に記載の手配情報送信センタと、
前記手配情報送信センタから送信された手配情報を受信する機能と、前記手配情報送信センタに対して事件に関する情報を送信する機能と、を備えた携帯端末と、を含んで構成されたこと、
を特徴とする情報収集システム。
【請求項８】
所定の携帯端末に対して、事件に関する情報の提供を呼びかける手配情報の送信方法であって、
前記手配情報を送信する手配情報送信センタが、事件に関する情報の提供があった最近の位置を基準として、前記手配情報の送信エリアを決定するとともに、事件に関する情報の提供があった最近の位置を中心とし、かつ、少なくとも過去数回分の前記事件に関する情報の提供があった位置を追記した地図画像を生成するステップと、
前記手配情報送信センタが、前記決定した手配情報の送信エリアに所在する携帯端末に対して、前記地図画像を添付した手配情報を送信するステップと、
前記手配情報を受信した携帯端末が、前記手配情報送信センタに対して事件に関する情報を送信するステップと、を繰り返し、
前記事件に関する情報の提供があった位置の遷移に従って、前記手配情報に添付する地図を更新するとともに、前記手配情報の送信エリアを変更すること、
を特徴とする手配情報の送信方法。
【発明の詳細な説明】
【技術分野】
【０００１】
本発明は、事件等が発生した際に携帯端末に手配情報を送信する手配情報送信センタ、携帯端末及び手配情報の送信方法に関する。
【背景技術】
【０００２】
特許文献１に事件、犯罪等が発生した際に、携帯電話機のカメラ画像を用いた第一報を受け付けると、周辺セルに所在する携帯電話機に対して、事件の発生を伝えるとともに、事件に関する続報、情報の提供を呼びかける情報収集システムが開示されている。
【０００３】
また、特許文献２には、事件の発生を伝える緊急メールの送信エリアを規定するパラーメータ条件を指定可能とするとともに、該緊急メールに地図を添付する緊急メール通知システムが開示されている。
【特許文献１】特開２００５−１９０３２９号公報
【特許文献２】特開２００５−２２２３７３号公報
【発明の開示】
【発明が解決しようとする課題】
【０００４】
特許文献１に記載の情報収集システムは、特定通信局でのみ犯人等の移動状況を把握可能であるが、また、個々の携帯電話機のユーザが犯人等の移動状況での移動状況を知ることができないという問題点がある。このため例えば、あるセル内での移動は、個々の携帯電話機には報知されないし、また、セルを跨る移動であっても、犯人等がどの方向（セル）から移動してきたことにより配信が行われたのがか判らないことになる。
【０００５】
特許文献２に記載の緊急メール通知システムでは、現場地図が添付されるが、緊急メールの送信エリアを動的に変更する仕組みがないため、犯人等の移動方向等が予測不可能なひき逃げや場当たり的な犯行に対して、有効な情報配信及び情報提供を受けることができないという問題点がある。
【０００６】
本発明は、上記した事情に鑑みてなされたものであって、その目的とするところは、犯人や犯行車両の移動に応じて情報提供を呼びかける範囲を動的に変更するとともに、犯人や犯行車両の移動状況も配信できるようにした情報収集システム、手配情報送信センタ、携帯端末及び手配情報の送信方法を提供することにある。
【課題を解決するための手段】
【０００７】
本発明の第１の視点によれば、所定の携帯端末に対して、事件に関する情報の提供を呼びかける手配情報を送信する手配情報送信センタであって、前記事件に関する情報の提供があった位置の遷移に従って、前記手配情報に添付する地図を更新するとともに、前記手配情報の送信エリアを変更すること、を特徴とする手配情報送信センタが提供される。
【０００８】
本発明の第２の視点によれば、所定の携帯端末に対して、事件に関する情報の提供を呼びかける手配情報を送信する手配情報送信センタであって、事件に関する情報の提供があった最近の位置を基準として、前記手配情報の送信エリアを決定する送信エリア決定手段と、前記事件に関する情報の提供があった最近の位置を中心とし、かつ、少なくとも過去数回分の前記事件に関する情報の提供があった位置を追記した地図画像を生成する地図画像生成手段と、前記決定した手配情報の送信エリアに所在する携帯端末に対して、前記地図画像を添付した手配情報を送信する手配情報送信手段と、を備えたこと、を特徴とする手配情報送信センタが提供される。
【０００９】
本発明の第３の視点によれば、上記した手配情報送信センタから送信される手配情報を受信する機能を備えた携帯端末であって、地図を表示したタッチパネル画面を介して、前記手配情報送信センタに送信する位置を入力するタッチパネル入力手段と、前記タッチパネル画面により位置の入力が行われたことを契機として、前記手配情報送信センタに対して、事件に関する情報の提供を自動実行する自動通報手段を備えたこと、を特徴とする携帯端末が提供される。
【００１０】
本発明の第４の視点によれば、上記した手配情報送信センタと、前記手配情報送信センタから送信された手配情報を受信する機能と、前記手配情報送信センタに対して事件に関する情報を送信する機能と、を備えた携帯端末と、を含んで構成されたこと、を特徴とする情報収集システムが提供される。
【００１１】
本発明の第５の視点によれば、所定の携帯端末に対して、事件に関する情報の提供を呼びかける手配情報の送信方法であって、前記手配情報を送信する手配情報送信センタが、事件に関する情報の提供があった最近の位置を基準として、前記手配情報の送信エリアを決定するとともに、事件に関する情報の提供があった最近の位置を中心とし、かつ、少なくとも過去数回分の前記事件に関する情報の提供があった位置を追記した地図画像を生成するステップと、前記手配情報送信センタが、前記決定した手配情報の送信エリアに所在する携帯端末に対して、前記地図画像を添付した手配情報を送信するステップと、前記手配情報を受信した携帯端末が、前記手配情報送信センタに対して事件に関する情報を送信するステップと、を繰り返し、前記事件に関する情報の提供があった位置の遷移に従って、前記手配情報に添付する地図を更新するとともに、前記手配情報の送信エリアを変更すること、を特徴とする手配情報の送信方法が提供される。
【発明の効果】
【００１２】
本発明によれば、ひき逃げや場当たり的な犯行による事件等を早期に解決に導くことができる。その理由は、最新の情報提供のあった位置を元にし、手配情報の送信エリアを変更するとともに、添付地図もその都度更新するよう構成したことにある。
【発明を実施するための最良の形態】
【００１３】
［第１の実施形態］
続いて、本発明を実施するための最良の形態について図面を参照して詳細に説明する。図１は、本発明の第１の実施形態に係る情報収集システムの構成を表した図である。図１を参照すると、無線通信ネットワーク２０に接続された手配情報送信センタ１０と、手配情報の送信範囲（送信エリア）を模式的に示す送信円３１〜３ｎが示されている。
【００１４】
手配情報送信センタ１０は、事件に関する情報の提供を行った端末位置又は各端末から情報の提供の際に入力された位置を基準として、手配情報の送信エリアを決定する送信エリア決定手段１１と、前記各端末位置又は各端末から情報の提供の際に入力された位置の移動状況を追記した地図画像を生成する地図画像生成手段１２と、送信エリア決定手段１１により決定された送信エリアに所在する携帯端末に対して、地図画像生成手段１２によって生成された地図画像を添付した手配情報を送信する手配情報送信手段１３と、を備えて構成される。
【００１５】
送信エリア決定手段１１や地図画像生成手段１２における送信エリアの決定時や地図の生成の際に使用される位置情報は、手配情報送信センタ１０が、無線通信ネットワークを介して無線基地局情報やアクセスポイント情報等を入手するものとしてもよいし、各携帯端末がＧＰＳ（グローバル・ポジショニング・システム）機能やユーザ入力によって入手し、手配情報送信センタ１０に送信するものとしてもよい。
【００１６】
手配情報送信手段１３は、地図画像を添付した電子メール形式で手配情報を送信する。また、本実施形態では、携帯端末から手配情報送信センタ１０への情報提供も電子メールを用いて行うものとする。従って、携帯端末は、手配情報送信センタ１０から送信された画像付き電子メールを受信し閲覧する機能と、電子メール送信機能を備えていればよい。
【００１７】
送信円３１は、携帯端末ＵＥ１から事件に関する最初の通報（第一報）があった場合の送信エリアを表しており、携帯端末ＵＥ１の位置を中心として所定の半径範囲（例：１０００ｍ）が手配情報の送信範囲となっている。なお、図１では、送信エリアは、概念的に円形状の送信円３１で表されているが、複数のセルで送信エリアを構成しても良いことはもちろんであり、カバー範囲（エリア面積）の大きさは、情報の提供を求める事件等の性質によって決定される。
【００１８】
送信円３２〜３ｎは、携帯端末ＵＥ１からの通報（第一報）の後、携帯端末ＵＥ１〜ＵＥｎより情報の提供があった場合の送信エリアを表している。例えば、犯人や犯行車両が図中の地点Ｘ１、Ｘ２、Ｘ３・・・Ｘｎと移動した場合に、それぞれ、携帯端末ＵＥ２、携帯端末ＵＥ３、携帯端末ＵＥｎから目撃等の情報の提供があった場合、送信エリアは、送信円３２、送信３３、送信３ｎと遷移する。
【００１９】
続いて、本発明の第１の実施形態に係る情報収集システムの動作について、図面を参照して詳細に説明する。図２は、本発明の第１の実施形態に係る情報収集システムの動作を説明するためのフローチャートである。
【００２０】
図２を参照すると、まず、手配情報送信センタ１０は、任意の携帯端末（第１通報端末）から通報（第一報）を受けると（ステップＳ００１）、当該携帯端末（第１通報端末）の位置を中心に半径Ｒ１で規定されるエリアを手配情報の送信エリアとして決定する（ステップＳ００２）。
【００２１】
続いて、手配情報送信センタ１０は、手配情報の送信エリアに所在する携帯端末に宛てて、前記第１通報端末の位置を中心に示した地図画像を添付した手配情報を、送信する（ステップＳ００３）。
【００２２】
図３は、前記手配情報及び地図画像を受信した携帯端末で表示される画面例であり、画像中心付近の、第１通報端末の位置又は第１通報端末から提供された現場位置に、丸に十字のターゲットマークが表示されている。この画面が表示された他の携帯端末のユーザが画面右下のソフトウェアキー「目撃」をクリックすると、次の情報提供が手配情報送信センタ１０に送られることになる。
【００２３】
なお、前記携帯端末に送信する地図画像に、地図上の区画（ゾーン）を特定するための区画番号、格子状のグリッド線、あるいは、緯度・経度情報を描画し、あるいは、ポインティングデバイスで指定した際に、当該位置情報が自動入力されるようにしておくことも好ましい。このようにすれば、情報提供の際に、携帯端末位置と異なる位置を手配情報送信センタ側に知らせることができる。
【００２４】
再度図２を参照して上記第一報後の動作を説明すると、所定の時間内に携帯端末から情報の提供があった場合（ステップＳ００４のＹＥＳ）、手配情報送信センタ１０の送信エリア決定手段１１は、当該携帯端末（第ｎ通報端末）の位置を中心に半径Ｒ１で規定されるエリアを次の手配情報の送信エリアとして決定する（ステップＳ００５）。
【００２５】
所定の時間内に携帯端末から情報の提供があった場合は更に、手配情報送信センタ１０の地図画像生成手段１２が、第ｎ通報端末の位置を中心にし、かつ、前記第１通報端末〜第ｎ通報端末の位置を追記した地図画像を生成する（ステップＳ００６）。
【００２６】
前記次の手配情報の送信エリアの決定と、地図画像の更新が完了すると、手配情報送信センタ１０の手配情報送信手段１３は、前記決定した次の手配情報の送信エリアに所在する携帯端末に宛てて、前記更新した地図画像を添付した手配情報を送信する（ステップＳ００７）。
【００２７】
図４は、第２通報端末から情報提供により地図画像が更新された画面例であり、画像中心付近に、第２通報端末の位置又は第２通報端末から提供された現場位置が表示されている。また、地図画像左側には、第１通報端末の位置又は第１通報端末から提供された現場位置の表示が残っている。更に、各情報提供のあった位置の移動方向を示す矢印と「犯人逃走方向」との表示が付加されている。従って、携帯端末のユーザは、これら表示を見て、犯人の移動方向を把握し、先回り、協力者への連絡等適切な対応を採ることが可能となる。
【００２８】
再度図２を参照して上記第一報後、所定の時間内に携帯端末から情報の提供が無かった場合（ステップＳ００４のＮＯ）の動作について説明すると、手配情報送信センタ１０の送信エリア決定手段１１は、最新の通報端末の位置を中心に半径Ｒ２（Ｒ１＜Ｒ２）で規定されるエリアを次の手配情報の送信エリアとして決定する（ステップＳ００８）。
【００２９】
前記次の手配情報の送信エリアの決定（拡大）が完了すると、手配情報送信センタ１０の手配情報送信手段１３は、前記決定した次の手配情報の送信エリアに所在する携帯端末に宛てて、地図画像を添付した手配情報を送信する（ステップＳ００９）。
【００３０】
図５は、所定の時間内に携帯端末から情報の提供が無い場合に、手配情報の送信エリアの変化を表した図である。
【００３１】
送信円３２ａは、送信円３１での手配情報の送信で情報の提供が得られなかった場合の送信エリアを表している。例えば、犯人や犯行車両が地点Ｘ５に移動し、携帯端末ＵＥ１の位置を中心とした送信円３１を秘密裡に脱出してしまった場合、送信円３１に所在する携帯端末からは、鮮度の高い情報の提供は期待できなくなる。しかしながら、このように送信エリアを拡大することによって、犯人を再度、捕捉可能な範囲に捉え、送信円３２ａに所在する携帯端末ＵＥ５から鮮度の高い情報の提供を受けることが可能となる。
【００３２】
手配情報送信センタ１０は、事件が解決するまで（ステップＳ０１０のＮＯ）、以上の処理を繰り返し実行し、犯人や犯行車両が移動していることが判明している場合には、地図を更新するとともに、これを追跡するように送信エリアを移動させてゆき、犯人や犯行車両が移動していることが不明である場合には、情報提供を受ける範囲（手配情報の送信エリア）を拡げるよう動作する。
【００３３】
なお、上記した実施形態では、送信円の半径はＲ１、Ｒ２の２段階であるものとして説明したが、所定の時間内に携帯端末から情報の提供が得られない状態が続く場合には、送信エリアを半径Ｒ１、Ｒ２、Ｒ３・・・Ｒｎと順次拡大するようにしてもよい。
【００３４】
また、上記した実施形態では、所定の時間内に携帯端末から情報の提供が得られない場合、送信エリアの拡大のみを行うものとして説明したが、送信エリアの拡大と併せて、添付する地図画像の縮尺を変更し、カバー範囲を拡げるようにしてもよい。
【００３５】
［第２の実施形態］
続いて、手配情報の受信側の携帯端末に改良を加えた本発明の第２の実施形態について図面を参照して詳細に説明する。
【００３６】
本実施形態は、携帯端末側に小変更を加えたのみであり、手配情報送信センタ１０の構成・動作に変更はないので、以下、携帯端末側に備えられえた機能を中心に説明する。
【００３７】
本実施形態に係る携帯端末は、地図表示用画面として、タッチパネル画面を備えており、タッチパネル画面を介して、手配情報送信センタ１０に送信する位置を入力可能となっている。
【００３８】
また、携帯端末は、自動通報機能を実現するプログラムがインストールされ、地図画像が表示されたタッチパネル画面により位置の入力が行われると、自動的に手配情報送信センタ１０に対して、電子メール等により通報が行われるようになっている。
【００３９】
図６（ａ）〜（ｃ）は、本実施形態に係る携帯端末により通報された内容により、生成される地図画像の遷移を表した図である。
【００４０】
図６（ａ）は、手配情報送信センタ１０から始めに（第１通報端末からの通報時点）で手配情報に添付される地図画像の一例であり、画面右下にソフトウェアキー「目撃」がない点以外は、図３の画面イメージと同一である。
【００４１】
ここで、図６（ｂ）に示すように、画面上で犯人を見た場所を指等でタッチすると、手配情報送信センタ１０に対して自動的に通報が行われる。
【００４２】
図６（ｃ）は、上記携帯端末のタッチパネル入力により地図画像が更新された画面例である。本図も、画面右下にソフトウェアキー「目撃」がない点以外は、図４の画面イメージと同一であり、情報提供があった位置の移動状況を一見して把握できるようになっている。
【００４３】
以上のように、本実施形態では、上記した第１の実施形態の効果に加えて、正確な位置情報を含んだ情報提供を簡便かつ迅速に行うことが可能となっている。特に、携帯端末ユーザが、高所や離れた位置から犯人や犯行車両を望見できるような位置にいる場合に便利であり、手配情報送信センタ１０に当該犯人や犯行車両の位置を正確に伝えることが可能となる。
【００４４】
以上、本発明を実施するための好適な形態を説明したが、携帯端末に対して情報の提供を呼びかける手配情報を送信し、情報提供があったときの端末位置や目撃位置の遷移に従って、次回送信する手配情報に添付する地図を更新し、かつ、手配情報の送信エリアを変更するという本発明の要旨を逸脱しない範囲で、各種の変形を加えることが可能であることはいうまでもない。
【００４５】
例えば、上記した各実施形態では、地図画像中の矢印を表示して犯人や犯行車両の移動方向を示すものとして説明したが、過去数回分の情報提供位置をプロットすることでも良い。この場合に、プロット点を色や文字を変えて描画し、あるいは、番号や記号を付記すれば、適宜情報提供が行われた順序がわかるようになり、より好ましいものとなる。
【００４６】
また、例えば、犯人や犯行車両が通行したと推定されるルート探索を行い、当該推定通行ルートを追記した地図を表示するものとしてもよい。このようにすれば、犯人や犯行車両のルート選択の傾向をつかむことが可能となり、進路予想をより正確に行うことができる。
【００４７】
また、図３、図４、図６に示した画面例に加えて、犯人や犯行車両に関する情報（テキスト、画像）を添付するようにしてもよい。また、図３、図４のソフトウェアキー「目撃」に相当するハードウェアキーを携帯端末側に設け、あるいは、既存のキーに割り当てるようにしてもよい。
【図面の簡単な説明】
【００４８】
【図１】本発明の第１の実施形態に係る情報収集システムの構成と、送信エリアの遷移態様を表した図である。
【図２】本発明の第１の実施形態に係る情報収集システムの動作を説明するためのフローチャートである。
【図３】本発明の第１の実施形態に係る手配情報送信センタから始めに（第１通報端末からの通報時点）で表示される画面例である。
【図４】他の携帯端末からの通報により地図画像が更新された画面例である。
【図５】所定の時間内に携帯端末から情報の提供が無い場合の手配情報の送信エリアの変化を表した図である。
【図６】本発明の第２の実施形態を説明するための図である。
【符号の説明】
【００４９】
１０  手配情報送信センタ
１１  送信エリア決定手段
１２  地図画像生成手段
１３  手配情報送信手段
２０  無線通信ネットワーク
３１〜３ｎ  送信円（送信エリア）
３２ａ  拡大された送信円（送信エリア）
【図１】
2008099120.tif 000003
【図２】
2008099120.tif 000004
【図３】
2008099120.tif 000005
【図４】
2008099120.tif 000006
【図５】
2008099120.tif 000007
【図６】
2008099120.tif 000008